(57)【特許請求の範囲】
【請求項１】
パイプ状体からなり、回転支持具にてパイプ状体の軸を中心として回動自在に支持され、周期的に揺動するパイプスカムスキマーと、これに隣接したスカム掻き寄せ回転羽根と、パイプスカムスキマーとスカム掻き寄せ回転羽根との間に配設しパイプスカムスキマーの揺動動作に同調してスカム掻き寄せ回転羽根を一方向に間歇回動させる回転羽根駆動機構とより構成し、水面に浮遊するスカムをパイプスカムスキマーの揺動により回転羽根にて掻き寄せてパイプスカムスキマーにて排出するようにしたことを特徴とする浮遊スカムの掻き寄せ除去装置。
【請求項２】
回転羽根駆動機構は、スカム掻き寄せ回転羽根側に設けた一方回転式回転体と、パイプスカムスキマーに揺動可能にして設け前記一方回転式回転体と噛合して回動させるラチェットレバーとより構成することを特徴とする請求項１記載の浮遊スカムの掻き寄せ除去装置。
【発明の詳細な説明】
【０００１】
【発明の属する技術分野】
本発明は、下水処理システムにおいて発生するスカムを効率的に除去する浮遊スカムの掻き寄せ除去装置、特に水面に浮遊するスカムをパイプスカムスキマーを揺動して吸引する際、このスキマーの揺動に応じて浮遊スカムをスキマー側に掻き寄せて確実にスカムを排出するようにした浮遊スカムの掻き寄せ除去装置に関するものである。
【０００２】
【従来の技術】
従来の下水処理においては、各家庭より排出される汚水を処理場の曝気槽へ導入し、この槽内で撹拌曝気を施し、好気性処理により汚水中の有機固形物を分解した後、沈澱池へ導き、ここで活性汚泥及び未分解有機物等の固形分と水とを分離し、上澄水を処理水として槽外へ排水し、固形分はその一部を返送汚泥管を介して曝気槽へ返送して活性汚泥として利用し、曝気槽での汚水の処理の促進を図るようにしている。しかし沈澱池から曝気槽内へ返送される活性汚泥中には多量の放線菌が混入している。このため処理を促進させるためには有効であっても、この多量の放線菌は曝気槽内で増殖され、一層のスカムを発生させる原因ともなっている。さらにこのスカムは汚水の処理能力を低下させると共に、悪臭を放し悪臭公害の問題を生じさせるものとなっている。それで、このスカムを除去する手段として処理槽水面位置にパイプスカムスキマーを配設し、水面に浮遊するスカムを汚水の一部と共に吸引して槽外へ排出している。
また、回転堰式スカムスキマーと浮動堰との組み合わせにより浮動堰の沈下にて生じる水位差によりスカムを吸引して槽外へ排出している。
【０００３】
【発明が解決しようとする課題】
上記従来のパイプスカムスキマーによる浮遊スカムの除去装置には、水面に浮遊するスカムを効率的に排出できるようにパイプスカムスキマーを上流方向の片側もしくは上下流双方向に揺動させるようにしているものがある。従って揺動にてパイプスカムスキマーのスカム排出用の開口部が水面位置で上下動して浮遊スカムの吸引を水位差による水流を利用してより行えるようにしている。しかし、この方法ではパイプスカムスキマー位置近辺の浮遊スカムの排出には効果的であっても、パイプスカムスキマーより離れた水面で浮遊しているスカムの排出を行えないという問題点があった。さらに、水面に浮遊するスカムは凝結して大きく成長し、しかもその比重によって水面より突出しているのはわずかで、水面に没している部分が５０乃至１００ｍｍもある。従って、パイプスカムスキマーであっても、回転堰式スカムスキマーであっても、いずれも吸引力が弱く島状となった大きく、固形したスカムを吸引するには難点があるという問題点があった。
本発明は、上記従来の浮遊スカムの除去装置の有する問題点を解決し、パイプスカムスキマーの揺動運動に同調してスキマーの上流側に配設したスカム掻き寄せ用回転羽根を間歇回転させてパイプスカムスキマーより離間した水面位置で浮遊するスカムを強制的に掻き寄せて排出することができる浮遊スカムの掻き寄せ除去装置を提供することを目的とする。
【０００４】
【課題を解決するための手段】
上記目的を達成するため、本発明の浮遊スカムの掻き寄せ除去装置は、パイプ状体からなり、回転支持具にてパイプ状体の軸を中心として回動自在に支持され、周期的に揺動するパイプスカムスキマーと、これに隣接したスカム掻き寄せ回転羽根と、パイプスカムスキマーとスカム掻き寄せ回転羽根との間に配設しパイプスカムスキマーの揺動動作に同調してスカム掻き寄せ回転羽根を間歇回動させるより構成し、水面に浮遊するスカムをパイプスカムスキマーの揺動により回転羽根にて掻き寄せてパイプスカムスキマーにて排出するようにしたことを特徴とする。
【０００５】
上記の構成からなる本発明の浮遊スカムの掻き寄せ除去装置は、パイプスカムスキマーが予め定めた角度で回揺動すると、これと隣接配設したスカム掻き寄せ回転羽根が、ラチェット歯車機構よりなる回転羽根駆動機構にて同調して、しかも水面に浮遊するスカムをパイプスカムスキマー側に掻き寄せるように回動するので、島状となった大きなスカムも他の動力を用いることなくパイプスカムスキマーにて吸い込み排出することができる。
【０００６】
この場合において、パイプスカムスキマーの揺動動作に同調してスカム掻き寄せ回転羽根を間歇回動させる回転羽根駆動機構は、スカム掻き寄せ回転羽根側に設けた一方回転式回転体と、パイプスカムスキマーに揺動可能にして設け前記一方回転式回転体と噛合して回動させるラチェットレバーとより構成することができる。
【０００７】
上記の構成からなる本発明の浮遊スカムの掻き寄せ除去装置は、パイプスカムスキマーが予め定めた角度を揺動しても、ラチェット歯車、ラチェットレバーの構成及びその歯形からスカム掻き寄せ回転羽根は常に一方向に、浮遊するスカムを掻き寄せ方向に間歇回動するので、浮遊スカムのパイプスカムスキマー側へ強制的に掻き寄せられ、島状となって浮遊する大きなスカムも確実にパイプスカムスキマーから吸引排出することができる
【０００８】
【発明の実施の形態】
以下、本発明の浮遊スカムの掻き寄せ除去装置の実施の形態を図面に基づいて説明する。
図において１は処理槽又は処理池に配設されたパイプスカムスキマーで、パイプ状体からなり、支持ローラ等の回転支持具３にてパイプ状体の軸を中心として回動自在に支持すると共に、このパイプスカムスキマー１には従来と同様にその外周面にはスカム吸込孔１１が穿孔され、周期的に或いは一定時間ごとに予め定めた角度、例えば６０度の角度範囲内でパイプスカムスキマーの上流側方向へ、或いは上下両方向へ揺動するように支持されている。
【０００９】
このパイプスカムスキマー１の揺動動作力は、パイプスカムスキマーに取り付けた揺動装置にて行うか、或いは特別な駆動装置を用いず処理池内を循環移動する汚泥掻寄機のフライトの移動をストライカ、リンク、レバー等を介して伝達し、これにより揺動するようにするもので、この揺動手段は限定されることはない。なお、パイプスカムスキマーには回収したスカムを槽外へ排出するようにしている。
【００１０】
パイプスカムスキマー１の上流側にはスカム掻き寄せ回転羽根２を配設する。このスカム掻き寄せ回転羽根２は、処理槽壁に取り付けたブラケット２４にて水面位置に吊垂するようにして、かつ軸受２５により回動自在に支持した回動軸２１に、スカム掻き寄せ回転羽根板２２を一枚又は１８０度の間隔で二枚を回転軸のほぼ全長に亘って突設する。そして両端に対向するブラケット間に支持する回転軸２１の支持がより確実に行えるよう回転軸の上部に平行して連結管２３を配設してなる。また、このスカム掻き寄せ回転羽根板２２は単なる細平板状とするか、図示のように先端部分を櫛歯状とし、かつへ字形に屈曲し、浮遊スカムの掻き寄せを行いやすくする。
【００１１】
パイプスカムスキマーの揺動動作に同調してスカム掻き寄せ回転羽根を間歇回動させる回転羽根駆動機構４を配設する。この回転羽根駆動機構４は、スカム掻き寄せ回転羽根側に設けた一方回転式回転体、例えばラチェット歯車４１と、パイプスカムスキマー側に揺動可能にして突設したラチェットレバー４２とより構成する。このラチェット歯車４１とラチェットレバー４２とを一組とし、これをパイプスカムスキマーの左右いずれか一方の端部に配設するか、又は長いパイプスカムスキマーではその両端部に配設し、パイプスカムスキマーの回動動作がスムースにスカム掻き寄せ回転羽根側に伝達するようにする。
【００１２】
ラチェットレバー４２はパイプスカムスキマーの外周面に突設したブラケット４３に揺動自在に支持され、その長手側面に一方向にのみ噛み合う形状としたラチェット歯４２Ｈを刻設する。ラチェット歯車４１は一方向に回転可能なよう歯形とし、回動軸２１の端部に固定されるとともに、このラチェット歯車４１上にラチェットレバー４２が重なるとき、揺動可能なラチェットレバー４２はラチェット歯車４１より外れないようにする。これはラチェット歯車４１の径よりも大径な円盤をラチェット歯車４１の両側に配設し、対向する円盤間に、即ちラチェット歯車４１の外周に円周の溝を形成し、この溝内に前記ラチェットレバー４２を落とし込むようにし、このラチェットレバー４２の重量にてラチェット歯車４１と噛合するようにする。
【００１３】
上述のように構成した装置において、汚泥掻寄機の駆動にてパイプスカムスキマーが予め定めた角度内にて周回方向に揺動する際、パイプスカムスキマーに突設したラチェットレバー４２もともに、しかも直線方向に揺動する。そしてラチェットレバー４２はその自重にて常にラチェット歯車４１に噛み合っているので、パイプスカムスキマーが上流方向に揺動するとき、このラチェットレバー４２の歯にてラチェット歯車４１を回動させることになる。このラチェット歯車はスカム掻き寄せ回転羽根２の回転軸２１に固定されているため、ラチェット歯車４１の回動にてスカム掻き寄せ回転羽根２を回動させるものとなる。この回転方向はラチェット歯形により図１に示すように水面に浮遊するスカムをパイプスカムスキマー側に強制的に掻き寄せるようになる。
【００１４】
このようにして掻き寄せられるスカムは回動して水面位置もしくは水面下となったスカム吸込孔より確実に吸い込まれるものとなる。このパイプスカムスキマーの一回の回動（揺動）にてスカム掻き寄せ回転羽根２は予め定めた角度、例えばパイプスカムスキマーの回動角度よりも大きな角度、例えば１８０度回転するように設定されているので浮遊スカムの掻き寄せは十分に行われる。
【００１５】
次にパイプスカムスキマーが反転、即ち復帰する際、このパイプスカムスキマーとともにラチェットレバーもラチェット歯車から離れる方向に移動して復帰する。しかし、ラチェット歯車、及びラチェットレバーのラチェット歯形が一方向にのみ噛み合うようになっているので、このラチェットレバーの復帰時にはラチェット歯車の噛み合うことなくラチェットレバーのみ復帰するものとなる。このようにしてパイプスカムスキマーの回動にてスカム掻き寄せ回転羽根２は間歇一方向回転運動を行うものである。
【００１６】
【発明の効果】
本発明の浮遊スカムの掻き寄せ除去装置によれば、パイプスカムスキマーが予め定めた角度で回揺動することにより、これと隣接配設したスカム掻き寄せ回転羽根が、ラチェット歯車機構よりなる回転羽根駆動機構にて同調して、しかも水面に浮遊するスカムをパイプスカムスキマー側に掻き寄せるように回動するので、島状となった大きなスカムも他の動力を用いることなく、簡単な構成でパイプスカムスキマーにて吸い込み確実に排出することができる。
【００１７】
また、本発明の請求項２記載の浮遊スカムの掻き寄せ除去装置によれば、パイプスカムスキマーが予め定めた角度を揺動しても、スカム掻き寄せ回転羽根は常に一方向に、浮遊するスカムを掻き寄せ方向に間歇回動するので、浮遊スカムのパイプスカムスキマー側へ強制的に掻き寄せられ、島状となっている浮遊する大きなスカムも確実に吸引排出することができる。
【図面の簡単な説明】
【図１】  本発明の浮遊スカムの掻き寄せ除去装置の第１実施例を示す側面図である。
【図２】  同正面図である。
【図３】  同平面図である。
【符号の説明】
１    パイプスカムスキマー
１１  スカム吸込孔
２    スカム掻き寄せ回転羽根
２１  回動軸
２２  スカム掻き寄せ回転羽根板
２３  連結管
２４  ブラケット
２５  軸受
３    回転支持具
４    回転羽根駆動機構
４１  ラチェット歯車
４２  ラチェットレバー
４２Ｈ  ラチェット歯形
４３  ブラケット
【図１】
0003814650.tif 000002
【図２】
0003814650.tif 000003
【図３】
0003814650.tif 000004